(57)【要約】【課題】ガスボンベの運搬、ボンベの使用に際しての垂直の支柱への支持に用いることができる軽量で簡易な運搬支持具を提供する。【解決手段】運搬支持具１は、枠体２とボンベ保持部材３とを具備する。枠体２は、平行一対の縦杆４、それの上端部間を接続するハンドル５、これと協働して縦杆４の平行を維持する横杆６，７とを含む。ボンベ保持部材３は、枠体２の縦杆４に着脱自在であり、縦杆４に沿う支持杆８と、支持杆８の下部に固着されボンベＢの底部を乗せ受ける底部支持部材９と、当該底部支持部材９の上方に対向して支持杆８に固着されボンベＢの中間部を保持する環状支持部材１０と、支持杆８に固着され縦杆４に対して軸線直交方向に着脱可能に当該縦杆４を挟持する挟持部材１１とを具備する。【選択図】図１
2017190789.tif 000002
【特許請求の範囲】
【請求項１】
２本の概略細長円筒状のガスボンベを運搬し、所望の設備に支持するためのガスボンベの運搬支持具であって、
互いに所定の間隔を置いて平行に上下方向に延びる一対の縦杆と、この縦杆の上端部間を接続するハンドルと、このハンドルと協働して一対の縦杆の平行を維持する横杆とを含む枠体と、
それぞれ前記ボンベを保持し、前記枠体の各縦杆に着脱自在に取り付けられる一対のボンベ保持部材と、を具備し、
前記ボンベ保持部材は、前記縦杆への装着時に当該縦杆に沿う支持杆と、当該支持杆の下部に固着され前記ボンベの底部を乗せ受ける底部支持部材と、当該底部支持部材と対向するように前記支持杆の上部に固着され前記ボンベの上下方向の中間部を包囲して保持する環状支持部材と、前記支持杆に対して前記環状支持部材と反対側へ延出するように固着され前記縦杆に対して軸線直交方向に着脱可能に当該縦杆を挟持する挟持部材とを具備することを特徴とするガスボンベ運搬支持具。
【請求項２】
前記挟持部材は、前記支持杆に対して前記環状支持部材と反対側へ延出するように固着されたばね鋼材からなる対向一対の挟持板からなることを特徴とする請求項1に記載のガスボンベ運搬支持具。
【請求項３】
前記挟持部材の一対の挟持板は、先端部の対向位置にピン受け孔を有し、このピン受け孔に挿通されるピンにより、前記縦杆に対して抜け止めされることを特徴とする請求項２に記載のガスボンベ運搬支持具。
【請求項４】
前記枠体の縦杆と前記ボンベ保持部材の支持杆との間に、支持杆の縦杆に対する軸周り位置を固定するための回り止め部が設けられることを特徴とする請求項１に記載のガスボンベ運搬支持具。
【発明の詳細な説明】
【技術分野】
【０００１】
本発明は、医療用などに用いられるガスボンベを２本ずつ吊り下げて運搬し、また当該ガスボンベを点滴台等の所望の設備に支持して使用に供するためのガスボンベの運搬支持具に関する。
【背景技術】
【０００２】
従来、ガスボンベの運搬具として、特許文献１に記載されたものが知られている。この運搬具は、 互いに所定の間隔を置いて平行に上下方向に延びる一対の縦杆と、この縦杆の上端部間を接続するハンドルと、このハンドルと協働して一対の縦杆の平行を維持する支持杆とを含む枠体と、  それぞれボンベの底部を乗せ受ける円形又はリング状の底板部と、ボンベの底部付近の外周を包囲するように底板部の周縁から起立する環状の周壁部とを具備し、周壁部において一対の縦杆の対向方向と反対側である外側の下端部にそれぞれ固定される一対の底部支持部材と、ボンベの上下方向の中間部を包囲するようにそれぞれ底部支持部材の上方に所定の間隔を置いて配置され、各縦杆の中間部の外側に固定される一対の環状支持部材と、床上に起立配置された状態で底部支持部材を床面上に安定支持するように当該底部支持部材からそれぞれ下方へ延出して下端が床面上に接する複数の支持脚とを具備する。
酸素ボンベを点滴台に搭載するための搭載治具が、特許文献２に提案されている。この搭載治具は、点滴台の下端の脚部上に設置されてボンベの底を載せ受ける底部と、底部の一縁部から立設された垂直部材と、この垂直部材を点滴台の支柱に固定する固定部材と、垂直部材の途上に設置され、ボンベを拘束する拘束部材と、底部からその下方をとおって垂直部材の反対側まで延びるステイと、このステイの先端に設置された荷重受け部とを具備する。
【先行技術文献】
【特許文献】
【０００３】
【特許文献１】特許第５８６５９８２号公報
【特許文献２】特開２０１４−６８９０６号公報
【発明の概要】
【発明が解決しようとする課題】
【０００４】
特許文献１に提案されたものは、例えば酸素ボンベを病院内の所定の保管場所まで運搬し、あるいはその場に立てて保管することができる運搬具である。運搬した酸素ボンベの使用に当たっては、運搬具からボンベを取り出して、例えば、特許文献２に提案されたような適宜の搭載治具を介して点滴台等に固定する必要がある。このように、従来、ボンベの運搬具と設備への搭載治具とは、用途に応じて別々に存在している。
したがって、本発明は、酸素ボンベのようなガスボンベの運搬の用に供するだけでなく、ボンベの使用に際して、垂直の支柱を有する点滴台、寝台のような所望の設備にボンベを支持する治具として用いることができる軽量で簡易な運搬具を提供することを目的としている。
【課題を解決するための手段】
【０００５】
以下、添付図面の符号を参照して説明するが、本発明はこれに限定されるものではない。
上記課題を解決するための、本発明に係るガスボンベの運搬支持具１は、互いに所定の間隔を置いて平行に上下方向に延びる一対の縦杆４と、この縦杆４の上端部間を接続するハンドル５と、このハンドル５と協働して一対の縦杆４の平行を維持する横杆６，７とを含む枠体２と、それぞれボンベＢを保持し、枠体２の各縦杆４に着脱自在に取り付けられる一対のボンベ保持部材３とを具備する。ボンベ保持部材３は、縦杆４への装着時に当該縦杆４に沿う支持杆８と、当該支持杆８の下部に固着されボンベＢの底部を乗せ受ける底部支持部材９と、当該底部支持部材９と対向するように支持杆８の上部に固着されボンベＢの上下方向の中間部を包囲して保持する環状支持部材１０と、支持杆８に対して環状支持部材１０と反対側へ延出するように固着され縦杆４に対して軸線直交方向に着脱可能に当該縦杆４を挟持する挟持部材１１とを具備する。
【発明の効果】
【０００６】
本発明に係るガスボンベの運搬支持具１は、２本のボンベＢを片手で安定的に運搬することができ、運搬時以外は、ボンベＢの保管用スタンドとしても使用できるのに加えて、ボンベＢを使用するに際し、枠体３からボンベＢもろとも、ボンベ保持部材３を取り外し、点滴台の支柱や寝台の脚のような垂直の支持部材に、挟持部材１１を介して固定することができる。
【図面の簡単な説明】
【０００７】
【図１】本発明に係るガスボンベの運搬支持具の正面図である。
【図２】図１の運搬支持具の平面図である。
【図３】図１の運搬支持具における枠体の正面図である。
【図４】図１の運搬支持具におけるボンベ保持部材の正面図である。
【図５】図１の運搬支持具におけるボンベ保持部材の平面図である。
【図６】図１の運搬支持具における挟持部材の断面図である。
【発明を実施するための形態】
【０００８】
図面を参照して本発明の実施の形態を説明する。
ガスボンベの運搬支持具１は、枠体２と、これに着脱自在の一対のボンベ保持部材３とを具備する。
【０００９】
枠体２は、互いに所定の間隔を置いて平行に上下方向に延びる一対の円柱又は円管状の縦杆４と、この縦杆４の上端部間を接続するハンドル５と、このハンドル５と協働して一対の縦杆４の平行を維持する横杆６，７とを具備する。縦杆４の下端部間を接続する横杆７は、両端部において縦杆４の対向部と反対側である外側に突出して、支持杆８との係合部７ａを形成している。
【００１０】
一対のボンベ保持部材３は、それぞれボンベＢを保持し、枠体２の各縦杆４に着脱自在に取り付けられる。ボンベ保持部材３は、支持杆８と、底部支持部材９と、環状支持部材１０と、挟持部材１１とを具備する。
【００１１】
支持杆８は、円柱又は円管状で、縦杆４への装着時に当該縦杆４に沿うように垂直に延びる。支持杆８の下端部の縦杆４側には、横杆の係合部７ａに係合する切欠部８ａが形成される。係合部７ａと切欠部８ａとにより、支持杆８を縦杆４に対して軸周りに固定する回り止め部が構成される。
【００１２】
底部支持部材９は、支持杆８の下部に固着され、ボンベＢの底部を乗せ受ける。底部支持部材９は、ボンベのＢの底部を乗せ受けるリング状の底板部９ａと、ボンベＢの底部付近の外周を包囲するように底板部９ａの周縁から起立する環状の周壁部９ｂとを具備する。底板部９の上面には、ゴムシートが張られる。また、周壁部９ｂの上縁には、断面ほぼコ字状のゴムパッキング９ｃが装着される。
【００１３】
支持脚１４が、底板部９ａの下面からそれぞれ下方へ延出し、下端が床面上に接するように設けられる。支持脚１４の下端には、ゴムキャップ１４ａが装着される。
【００１４】
環状支持部材１０は、底部支持部材９と上下に対向するように、支持杆８の上部に固着され、ボンベＢの上下方向の中間部を包囲してこれを保持する。図示しないが、環状支持部材１０は、ボンベＢを締め付け可能な構成とすることができる。
【００１５】
挟持部材１１は、支持杆８に対して環状支持部材１０と反対側へ延出するように支持杆８に固着され、縦杆４に対して、それの軸線直交方向に着脱可能に当該縦杆４を挟持する。
【００１６】
図示の実施形態において挟持部材１１は、基端側において支持杆８に固着されたばね鋼材からなる対向一対の挟持板１２で構成される。一対の挟持板１２は、先端部の対向位置にピン受け孔１２ａを有し、図６に示すように、このピン受け孔１２ａに挿通されるピン１３により、縦杆４に対して抜け止めされる。挟持板１２の挟持力が十分に強ければ、ピン１３による抜け止めは不要である。なお、挟持部材１１の具体的構造は、図示するものの他、例えば、縦杆４に嵌合する一対の支持片と、一方の支持片に螺合され先端が縦杆４に圧接されるノブボルトとからなるもの等、種々変更が可能である。
【００１７】
運搬支持具１は、２本のボンベＢを片手で安定的に運搬することができ、運搬時以外は、ボンベＢの保管用スタンドとしても使用できるのに加えて、ボンベＢを使用するに際し、枠体３からボンベＢもろとも、ボンベ保持部材３を取り外し、点滴台の支柱や寝台の脚のような垂直の支持部材に、挟持部材１１を介して固定することができる。ボンベの使用が終了後は、再び枠体３へ戻して運搬具として使用できる。
【符号の説明】
【００１８】
１      運搬具
２      枠体
３      底部支持部材
４      環状支持部材
５      支持脚
６      縦杆
７      ハンドル
８      支持杆
９      底板部
１０    周壁部
１１    ゴムシート
１２    ゴムパッキング
１３    ゴムパッキング
１４    ゴムキャップ１
Ｂ      ボンベ
【図１】
2017190789.tif 000003
【図２】
2017190789.tif 000004
【図３】
2017190789.tif 000005
【図４】
2017190789.tif 000006
【図５】
2017190789.tif 000007
【図６】
2017190789.tif 000008